(57)【特許請求の範囲】
【請求項１】
加熱手段と貯湯容器と前記加熱手段の制御を行う本体制御部とを有する本体ユニットと、本体ユニットからの湯または水の吐出を電気的に制御させる水栓制御部を有する水栓ユニットと、前記本体ユニットに給水させる水を制御する給水弁と配線部とを有する給水ユニットとを有し、前記本体ユニットからの信号線は前記給水ユニットの配線部を経由して前記水栓ユニットに配線するとともに、前記配線部にて信号線の結線を施した給湯装置。
【請求項２】
加熱手段と貯湯容器と前記加熱手段の制御を行う本体制御部と配線部とを有する本体ユニットと、本体ユニットからの湯または水の吐出を電気的に制御させる水栓制御部を有する水栓ユニットと、前記本体ユニットに給水させる水を制御する給水弁を有する給水ユニットとを有し、前記給水ユニットからの信号線と前記水栓ユニットからの信号線は前記本体ユニットの配線部にて結線を施した給湯装置。
【請求項３】
信号線は、給水ユニットの給水弁と配線している請求項１または２に記載の給湯装置。
【請求項４】
水栓ユニットの水栓制御部は、水栓ユニットに設けられた水または湯の吐出ボタンおよび残湯量を表示する表示部を制御する請求項１〜３のいずれか１項に記載の給湯装置。
【請求項５】
給水ユニットは、漏水を検知する漏水センサーを有する請求項１〜４のいずれか１項に記載の給湯装置。
【請求項６】
信号線は、シールド線で構成した請求項１〜５のいずれか１項に記載の給湯装置。
【請求項７】
給水弁の信号線と他の信号線を別信号線とした請求項６に記載の給湯装置。
【発明の詳細な説明】
【０００１】
【発明の属する技術分野】
本発明は、浄水と湯を切り替え吐出できる給湯装置に関するものである。
【０００２】
【従来の技術】
従来、この種の給湯装置は、キッチンユニットの筐体内に本体部分を組み込み、流しにおいて浄水と湯を適宜切り替えて吐出させるようにしている。
【０００３】
【発明が解決しようとする課題】
しかしながら、前記従来の構成では、給湯制御するための複数の信号線が必要であるが、これらはキッチンユニットの筐体内に適宜配線されてはいるが、むき出しになっているものであった。
【０００４】
このような給湯装置は、水周りの近くに置かれるので、水の進入等による漏電や、静電気やノイズなどによる異常動作が発生する恐れがある。また、設置上、信号線の配線が分散しないように工夫が必要であり、さらに、流しの下から物を取り出したり、掃除するときなどに配線を引っかけてしまい断線を起こすと言った課題もある。
【０００５】
本発明は上記従来の課題を解決するもので、漏電や静電気による誤動作等の心配がなく、かつ配線において設置が簡単で、断線を起こさない給湯装置を提供することを目的としている。
【０００６】
【課題を解決するための手段】
上記目的を達成するために、本発明の給湯装置は、本体ユニットと、水栓ユニットと、給水ユニットを有し、前記本体ユニットからの信号線は前記給水ユニット内に設けた配線部を経由して前記水栓ユニットに配線するとともに、前記配線部にて信号線の結線を施したものである。
【０００７】
この構成により、漏電や静電気による誤動作等の心配がなく、かつ配線において設置が簡単で、断線を起こすことがないものである。
【０００８】
【発明の実施の形態】
請求項１に記載の発明は、加熱手段と貯湯容器と前記加熱手段の制御を行う本体制御部とを有する本体ユニットと、本体ユニットからの湯または水の吐出を電気的に制御させる水栓制御部を有する水栓ユニットと、前記本体ユニットに給水させる水を制御する給水弁と配線部とを有する給水ユニットとを有し、前記本体ユニットからの信号線は前記給水ユニットの配線部を経由して前記水栓ユニットに配線するとともに、前記配線部にて信号線の結線を施した給湯装置とすることにより、漏電や静電気による誤動作等の心配がなく、かつ配線において設置が簡単で、断線を起こすことがないものである。
【０００９】
請求項２に記載の発明は、加熱手段と貯湯容器と前記加熱手段の制御を行う本体制御部と配線部とを有する本体ユニットと、本体ユニットからの湯または水の吐出を電気的に制御させる水栓制御部を有する水栓ユニットと、前記本体ユニットに給水させる水を制御する給水弁を有する給水ユニットとを有し、前記給水ユニットからの信号線と前記水栓ユニットからの信号線は前記本体ユニットの配線部にて結線を施した給湯装置とすることにより、漏電や静電気による誤動作等の心配がなく、かつ配線において設置が簡単で断線を起こすことがないものである。
【００１０】
請求項３に記載の発明は、信号線は、給水ユニットの給水弁と配線している請求項１または２に記載の給湯装置とすることにより、本体ユニットへの給水制御が行えるものである。
【００１１】
請求項４記載の発明は、水栓ユニットの水栓制御部は、水栓ユニットに設けられた水または湯の吐出ボタンおよび残湯量を表示する表示部を制御する請求項１〜３のいずれか１項に記載の給湯装置とすることにより、信号線の本数は多くなるが、水進入による漏電や静電気による誤動作の心配がなく、水または湯の吐出ボタンおよび残湯量表示の制御ができる。
【００１２】
請求項５に記載の発明は、給水ユニットは、漏水を検知する漏水センサーを有する請求項１〜４のいずれか１項に記載の給湯装置とすることにより、漏水検知を正しく検知して安全に使用できる。
【００１３】
請求項６に記載の発明は、信号線は、シールド線で構成した請求項１〜５のいずれか１項に記載の給湯装置とすることにより、マイコンに直結されている信号でも静電気やその他ノイズによる誤動作等の心配がなく使用することができる。
【００１４】
請求項７に記載の発明は、給水弁の信号線と他の信号線を別信号線とした請求項６に記載の給湯装置とすることにより、ノイズによる誤動作等の心配がなく使用することができる。
【００１５】
【実施例】
以下、本発明の給湯装置に係る実施例について添付の図面を用いて説明する。
【００１６】
（実施例１）
図１〜図４は本発明の実施例１における給湯装置を示す。
【００１７】
図１〜図３において、キッチンユニット３０に導入された水道管２は、分岐栓３を介して水栓４と止水栓５に接続されている。水栓４はキッチンユニット３０の上部で流し６の縁近傍に設けられており、流し６内への水を吐出調整できるよう構成されている。分岐栓３から止水栓５を通過した水は、給水ユニット１を通って浄水カートリッジ７に送られる。給水ユニット１は、本体ユニット１０に給水させる水を制御する給止弁８と配線部１５を有しており、配線部１５の配線穴９には本体ユニット１０からの配線である本体配線１１と、給水弁８に結線された給水弁配線１２、及び水栓ユニット１３からの水栓配線１４の合計３本が入っている。
【００１８】
また、本体ユニット１０からの本体配線１１は、給水ユニット１の配線部１５を経由して前記水栓ユニット１に配線するとともに、前記配線部１５にて水栓配線１４と信号コネクター１６とシールドコネクター１７により結線が施されている。
【００１９】
さらに、本体配線１１の一部は漏水を検知するために給水ユニット１内に設けた漏水センサー１８に結線されている。給水ユニット１の配線部１５周囲は、パッキン１９で囲まれていて、配線蓋２０をネジ２１によりパッキン１９を介してシール固定している。なお、本体配線１１、給水弁配線１２、及び水栓配線１４はそれぞれシールド線で構成され、信号線を構成している。
【００２０】
給水ユニット１から浄水カートリッジ７に送り込まれた水は、含有塩素、塩素化合物、金属、臭い、その他の濁り成分等が十分に取り除かれて、本体ユニット１０に送り込まれる。この浄水カートリッジ７は、１つの筐体ユニットに形成された本体ユニット１０に対して容易に着脱可能に構成されている。浄水カートリッジ７の着脱状態は、カートリッジ有無検知スイッチ２２により認識され得る。
【００２１】
本体ユニット１０において、浄水カートリッジ７からの浄水は、流量計２３を介して切換弁２４に到達し、この切換弁２４により加熱部２５又は水栓ユニット１３に供給され得るよう構成されている。加熱部２５において、貯湯容器２８への浄水は、貯湯容器２８内の上部に配置された給水口２７から供給される。貯湯容器２８の底部には加熱手段２９が設けられており、貯湯容器２８に貯められた水が所定温度に加熱される。この貯湯容器２８の側面及び上面は断熱材３１に覆われており、貯湯容器２８内の浄水が所定温度に維持されるよう構成されている。
【００２２】
貯湯容器２８内には給水口２７からの浄水を受ける給水バッファ３２が設けられており、この給水バッファ３２には給水口２７からの浄水を貯湯容器２８の下方へ導く滴下パイプ３３が接続されている。このように貯湯容器２８内に給水バッファ３２と滴下パイプ３３を設けることにより、給水口２７から送り込まれた所定温度以下の浄水が貯湯容器２８の下方に導かれ、貯湯容器２８の下部に取り付けられた加熱手段２９により加熱される。
【００２３】
また、貯湯容器２８内には水位センサー３４が設けられており、貯湯容器２８内の浄水量が常に監視されるよう構成されている。なお、貯湯容器２８内において生じた蒸気は、蒸気パイプ３８を通り水栓ユニット１３に設けた蒸気口４２から排出される。
【００２４】
本体ユニット１０における貯湯容器２８の底部には、温度センサー４４が設けられており、貯湯容器２８が所定温度以上になり、過熱状態とならないよう検知している。また、本体ユニット１０の内側底面には、漏水センサー４５が設けられており、本体ユニット１０内の漏水状態を検知できる構成である。
【００２５】
水栓ユニット１３における後述する操作パネル４０からの給湯指令により、貯湯容器２８内において所定温度の浄水（本実施例では約９５℃の熱湯）は、貯湯容器２８の満水状態における水位の略中間位置（少なくとも、給水口２７より下方の位置）に設けられた取出口３５からポンプ３６に送り込まれる。ポンプ３６に送り込まれた所定温度の浄水（湯）は、給湯パイプ３７を通り水栓ユニット１３の出湯口４１から流し６の内側へ吐出される。この出湯口４１は、水栓ユニット１３における下面側の突出端部近傍に設けられており、蒸気を排出する蒸気口４２の近傍に設けられている。
【００２６】
一方、水栓ユニット１３の上面側に設けられた操作パネル４０から給浄水指令が出力された場合、浄水カートリッジ７を通った浄水は、切換弁２４を介して浄水パイプ３９を流れ、水栓ユニット１３の浄水口４７から吐出される。
【００２７】
本体ユニット１０内のマイコンなどが実装された、加熱手段２９の制御を行う本体制御部４８は基板ホルダー４９に取り付けられて、基板カバー５０によりカバーされている。本体制御部４８には本体配線１１と給水弁配線１２が結線されている。
【００２８】
次に、水栓ユニット１３について図４に基づき説明する。
【００２９】
図に示すように、水栓ユニット１３の上面には操作パネル４０が形成されており、この操作パネル４０の背面側から浄水パイプ３９の導出部分３９ａが略コの字状の形状を有して導出している。水栓ユニット１３の上面に形成された操作パネル４０には、背面側（奥側）から電源ボタン５１、浄水の吐出ボタン５２、残湯量を表示する表示部５３、湯の吐出ボタン５４、及びロック解除ボタン５５が設けられている。電源ボタン５１は給湯装置全体に対する電源の供給／停止を行うスイッチである。吐出ボタン５２は浄水口４７からの浄水の吐出／停止を行うスイッチである。吐出ボタン５４は出湯口４１からの湯の吐出／停止を行うスイッチであるが、この吐出ボタン５４の押圧直前にロック解除ボタン５５を押圧して、給湯ロックの解除を行う必要がある。
【００３０】
本実施例の水栓ユニット１３には、熱湯が出湯口４１から吐出するとき警報音を発する警報手段（図示せず）が設けられている。警報手段は浄水給湯栓の内部に設けられ、吐出ボタン５４と連動するよう構成されている。
【００３１】
操作パネル４０において、表示部５３は、貯湯容器２８内の残湯量を段階的に示す複数の発光窓と、クエン酸洗浄中であることを発光して示す文字表示と、浄水カートリッジ７の交換時期到来を発光して示す文字表示とを有するものである。水栓ユニット１３内の上部側には水栓制御部５６を有し、水栓ユニット１３に設けられた水または湯の吐出ボタン５２、５４および残湯量を表示する表示部５３を制御する。また、水栓ユニット１３内には出湯口４１に通じる給湯パイプ３７と、蒸気口４２に通じる蒸気パイプ３８が配置されている。
【００３２】
また、水栓ユニット１３の背面側には、浄水パイプ３９が貫通するよう設けられている。水栓制御部５６には、水栓配線１４より水栓本体信号線５７と水栓本体シールド線５８が接続されている。
【００３３】
さて、上記実施例において、給湯装置が設置されるキッチンユニット３０の内部は、暗い環境であるとともに、水管があるため湿気が多く結露して電気的には漏電しやすい悪環境である。本給湯装置は、給水ユニット１に配線穴９と配線部１５を設けることで、設置者が本体配線１１と給水弁配線１２と水栓配線１４を容易に配線穴９に通して、給水弁８と漏水センサー１８の結線と、信号コネクター１６とシールドコネクター１７の結線を給水ユニット１の外で結線をまとめて作業した後、配線部１５に入れて、配線蓋２０を閉じてネジ２１止めするだけの簡単作業で配線ができるものである。
【００３４】
暗い環境であっても給水ユニット１の外で配線できるため簡単であり、配線蓋２０とパッキン１９によりシールができているため、水の進入を防止して漏電を容易に防止するとともに、静電気の進入も防止して、マイコンに直結している信号コネクター１６に静電気が入り誤動作による異常通電や異常動作など不安全を構造的に確実に防止できるものである。さらに、配線が３本まとまっているため、物を取り出したり掃除をするときなど、引っかけて断線する危険性も防止するものである。
【００３５】
また、給水弁８は、水道の圧力に対して通水と停止動作するため、ＤＣ３０Ｖの電圧必要であり、水管があり湿気が多く結露水の進入によりトラッキングを起こす可能性があるが、配線蓋２０とパッキン１９によりシールができているため、水の進入を防止して、トラッキングによる発火を防止するものである
また、信号線の本体配線１１と水栓配線１４は、シールドでカバーしていて、キッチンユニット３０内の長い配線でアンテナとなっても、静電気や外からのノイズに対して、異常通電や異常動作など不安全を防止できるものである。本体配線１１と水栓配線１４間のシールド結合もシールドコネクター１７の結線を給水ユニット１の外で簡単に結合できるものである。
【００３６】
また、給水弁８は、水道の圧力に対して通水と停止動作するため、ＤＣ３０Ｖの電圧が必要であり、動作時にはノイズが出る。キッチンユニット３０内で各配線は長く、信号線はノイズを拾う長いアンテナになってしまう。給水弁８を動作させる給水弁配線１２を信号線の本体配線１１と水栓配線１４と別配線とすることで、給水弁８を動作させるノイズに対して、異常通電や異常動作など不安全を防止できるものである。
【００３７】
（実施例２）
次に、図５は本発明の給湯装置に係る実施例２の構成を示す本体ユニット６０の本体制御部６１付近を示しているが、全体の構成は実施例１と同一である。
【００３８】
水栓ユニットからの水栓配線７１と給水ユニットからの給水弁配線７２と給水配線６２が、本体配線穴６３から本体ユニット６０の内部に入り、本体ユニット６０の配線部６０ａにて各配線の結線を施し、本体制御部６１と結線している。すなわち、水栓配線７１は水栓信号コネクター６４と水栓シールドコネクター６５により結線して、給水弁配線７２は給水弁コネクター６６により結線して、給水配線６２は給水コネクター６７と給水シールドコネクター６８により結線している。各コネクターの結線作業後に本体配線蓋６９を本体ネジ７０で固定する。
【００３９】
この実施例における給湯装置としての動作、作用及び効果については、実施例１と同じである。
【００４０】
【発明の効果】
上記のように本発明の給湯装置によれば、漏電や静電気による誤動作等の心配がなく、かつ配線において設置が簡単で、断線を起こすことがないものである。
【図面の簡単な説明】
【図１】本発明の実施例１における給湯装置の構成を示す断面図
【図２】同給湯装置の給水ユニット構成を示す断面図
【図３】同給湯装置の給水ユニットを示す外観図
【図４】同給湯装置の水栓ユニット構成を示す断面図
【図５】本発明の実施例２における給湯装置の本体ユニット構成を示す部分断面図
【符号の説明】
１  給水ユニット
８  給水弁
１０、６１  本体ユニット
１１  本体配線
１２、７２  給水弁配線
１３  水栓ユニット
１４、７１  水栓配線
１５  配線部
２８  貯湯容器
２９  加熱手段
４０  操作パネル
４８、６１  本体制御部
５２、５４  吐出ボタン
５３  表示部
５６  水栓制御部
６２  給水配線
【図１】
0003719227.tif 000002
【図２】
0003719227.tif 000003
【図３】
0003719227.tif 000004
【図４】
0003719227.tif 000005
【図５】
0003719227.tif 000006